(57)【要約】【課題】処理物の滞留層厚の増減に応じてチャフシーブを構成する前方のフィンから後方のフィンに至る揺動選別域の揺動面積を変更し、夾雑物の混入を可及的に低減しつつ、移送選別作用から風選作用に至る処理物の流れを常にスムーズに維持することができる脱穀機における揺動選別装置を提供する。【解決手段】離間対向する揺動側板２２、２２間に、複数のフィン６、６…を離間並列状に配設してチャフシーブ７を形成した脱穀機１における揺動選別装置１０において、上記チャフシーブ７の揺動選別域２９を、揺動前後方向に拡縮可能に構成した。【選択図】　図２
2004081025.tif 000002
【特許請求の範囲】
【請求項１】
離間対向する揺動側板間に、複数のフィンを離間並列状に配設してチャフシーブを形成した脱穀機における揺動選別装置において、上記チャフシーブの揺動選別域を、揺動前後方向に拡縮可能に構成したことを特徴とする脱穀機における揺動選別装置。
【請求項２】
上記揺動選別域は、チャフシーブの揺動方向前端縁を基点として後方に拡縮可能に構成され、当該揺動選別域を縮小した際には、チャフシーブ後端縁がその下方に設けたグレンシーブの後端縁より前方に位置し、かつ揺動選別域を拡大した際は、チャフシーブ後端縁がグレンシーブの後端縁より後方に位置するように構成されていることを特徴とする請求項１記載の脱穀機における揺動選別装置。
【発明の詳細な説明】
【０００１】
【発明の属する技術分野】
本発明は、脱穀機における揺動選別装置に係り、詳しくは選別風路内に架設した揺動選別体のシーブ群を、そのフィン開度は変化させずにフィン間の間隔を拡縮調整することにより、揺動選別域の揺動面積を変更して安定性の高い選別性能を確保することができる脱穀機における揺動選別装置に関するものである。
【０００２】
【従来の技術】
一般に、扱胴の軸芯方向後方に風選室を有し、扱胴の下方前方より風選室に向けて形成した選別風路内に揺動選別装置を架設してなる脱穀機においては、揺動選別体の前後揺動運動による比重選別作用と、選別風路を吹き抜ける選別風による風選作用とによって、処理物を一番物、二番物および籾屑等の夾雑物とに選別分離し、一番物は一番樋に落下させたのち揚穀筒により籾タンクに回収し、二番物は二番樋に落下させたのち二番還元筒により揺動選別体に還元して再選に供し、籾屑類は風選室で吸引ファンにより吸引して機体後方の排塵口から機外へ放出するようになっている。
【０００３】
上述のような揺動選別体による比重選別作用では、移送選別経路において、下層に穀粒、上層に籾屑等の夾雑物が位置するように充分な移送揺動作動を介して分離されることが重要であり、この移送選別経路を機体後部に向けて延長することにより精度の高い比重選別作用が得られ、殊に処理物の移送量が比較的少量である場合には選別作用の効果が顕著に表れることが知見されている。そして、上記揺動選別体の具体的な一番物の選別作用例としては、揺動始端側に無孔移送板を配し、かつその後方の揺動終端側に複数のフィンからなるチャフシーブを配設した上段選別部と、当該上段選別部の下方位置に配設したグレンシーブ（クリンプ網）とを相互揺動させて、一番物を一番樋に漏下させるように構成されている。
【０００４】
しかしながら、近年のように脱穀機の大型化に伴い脱穀処理能力を強化した構成では、揺動選別体の揺動作動が一定動作で行なわれるが故に、脱穀量の増大時に当該揺動選別体の選別能力が相対的に低下してしまい、チャフシーブに至る処理物の滞留層厚が増して、穀粒と籾屑等の夾雑物の層状分離が不完全となり、枝梗、穂切れ等が一番樋へ混入する不具合を生じ易く、また脱穀量が少量である場合には、相対的に揺動選別体の選別能力が高くなるため、チャフシーブに至る処理物の滞留層厚が薄くなるに伴い、風選作用による二番樋への還元量が増えて、当該二番樋での風選作用に支障を来すばかりでなく、稲、麦等の品種の違いや濡れ扱ぎ作業等の有無、あるいは移送選別経路を形成する各フィンの傾斜角度、唐箕による選別風力の大小、等の種々の要因が複雑に絡み合うことによって夾雑物の混入の度合いが多くなる、という問題を内包するものであった。
【０００５】
そこで、離間対向する揺動側板間に、傾斜角度可変な複数のフィンを並列状に枢支してチャフシーブを構成し、前端から後方のフィンに至る処理物の増減に応じて適宜にフィンの傾斜角度を変更することにより、夾雑物の混入を可及的に低減しつつ、移送選別作用から風選作用に至る処理物の流れを常にスムーズに維持でき、効率よく揺動選別を行えるように構成したもの、あるいは間隔を定めるバネを隣合う各フィン間に連結し、バネの長さを弾性伸縮で変更することによりフィン間隔の調節を行うように構成したもの、等が提案されているが、前者の構成のものでは、支軸を中心に各フィンを処理物量の大小に応じて回動することにより、フィン開度を変更するようにしていたため、開度の変更に伴って選別風の風向も変わってしまい、安定した選別性能の維持が困難になる、という改善の余地を残し、また後者のものでは、機体の揺れや外力の影響でバタつくバネの振れで、その伸縮長が変化してしまい、揺動選別体の各フィンの間隔を一定に保持することができないものであった。
【０００６】
【発明が解決しようとする課題】
本発明は、上記のような実状に鑑み選別性能の向上を目指す研究、開発の過程で創案されたものであって、その目的とするところは、処理物の移送量が少量である場合は、比重選別作用に必要な移送選別経路を充分確保できるものでありながら、処理物移送量の増減、すなわち処理物の滞留層厚の増減に応じてチャフシーブを構成する前方のフィンから後方のフィンに至る揺動選別域の揺動面積を変更し、夾雑物の混入を可及的に低減しつつ、移送選別作用から風選作用に至る処理物の流れを常にスムーズに維持することができる脱穀機における揺動選別装置を提供しようとするものである。
【０００７】
【課題を解決するための手段】
課題を解決するため、本発明が採用した第１の技術的手段は、離間対向する揺動側板間に、複数のフィンを離間並列状に配設してチャフシーブを形成した脱穀機における揺動選別装置において、上記チャフシーブの揺動選別域を、揺動前後方向に拡縮可能に構成したことを特徴とし、第２の技術的手段として、上記揺動選別域は、チャフシーブの揺動方向前端縁を基点として後方に拡縮可能に構成され、当該揺動選別域を縮小した際には、チャフシーブ後端縁がその下方に設けたグレンシーブの後端縁より前方に位置し、かつ揺動選別域を拡大した際は、チャフシーブ後端縁がグレンシーブの後端縁より後方に位置するように構成したことを特徴とするものである。
【０００８】
【発明の実施の形態】
本発明の実施の形態を、添付図面に基づいて詳細に説明する。
図１において、１は脱穀機であって、該脱穀機１の扱室２内には図示しない機体の進行前後方向に扱胴３が回転自在に軸着され、その下側に張設した受網４の下方位置には、波板状の無孔移送板５および複数のフィン６、６…からなるチャフシーブ７を設けた揺動選別体８と、その下方に併設したグレンシーブ９等で構成された揺動選別装置１０が配設されている。
【０００９】
上記揺動選別装置１０の下方には、唐箕１１および一番流板１２からなる選別風路１３が形成されおり、揺動作動する当該揺動選別装置１０に向く下方からの選別風Ａにより一番物を風選し、かつ上記選別風路１３の後方に配設した補助唐箕１４から送風する選別風Ｂにより、ラック１５上の二番物を風選するように構成され、選別分離された夾雑物を吸引ファン１６を介して機体後方の排塵口１７から機外へ放出するようになっている。
なお、１８は一番螺旋、１９は二番螺旋、２０は風向板、２１は二番流板である。
【００１０】
上記揺動選別装置１０は、図２〜図５に示すように、機体の左右方向に離間対設した揺動側板２２、２２間の上位に無孔移送板５を跨設し、その終端部から移送方向の後方に向けてフィン６、６…を複数並設してなる後述のチャフシーブ７を配設して揺動選別体８を形成すると共に、上記揺動選別体８の下方位置にはグレンシーブ９が平行かつ一面状に張設されている。
【００１１】
また上記揺動側板２２、２２の対向する内面側には、これに近接してプレート２３、２３がブラケット２３ａ、２３ａを介して配設されており、該プレート２３、２３に穿設した上下の長溝２４、２４に、フィン６、６…の左右両端縁の上下端縁に突設した上ピン２５と下ピン２６を挿通して、上記各フィン６、６…が対向する揺動側板２２、２２間で前後方向にスライドする融通機構２７が形成されていると共に、上記プレート２３、２３の外面に沿ってパンタグラフ機構２８、２８がそれぞれ併設されており、このパンタグラフ機構２８、２８を形成する各リンク２８ａ、２８ａ…の交差部位に各フィンの下ピン２６、２６…を連結して、各フィン６、６…の傾斜角度を略一定に保持したまま、パンタグラフ機構２８、２８の伸縮に連繋してフィン６、６を前後方向にスライド動作させることにより各フィン間の間隔を拡縮して後述する揺動選別域２９の揺動面積を変更するように構成されている。
【００１２】
すなわち、上記パンタグラフ機構２８、２８は、これを形成する最前端のリンク２８ａ´、２８ａ´の交差部位に連結した下ピン２６を基点として、後方に拡縮可能に構成され、かつその最後端に位置するフィン６´の下ピン２６はリンク２８ａに固定されることにより、前端のフィン６から最後端のフィン６´に至る各フィン６の傾斜角度を略一定に保持した状態でそのフィン間隔の拡縮を行うことにより揺動選別域２９の揺動面積を変更する。
【００１３】
ここで、上記揺動選別域２９の揺動面積の変更について説明すると、上記揺動側板２２、２２のうち一方の揺動側板２２の外側面には、先端部の下縁にラックギヤ３０ａを一体に刻設した揺動カムプレート３０が、該揺動側板２２に突設した支持ローラ３０ｂ、３０ｂに案内されて前後方向進退自在に沿設されている。
そして、上記揺動カムプレート３０の後方下縁には、連結杆３１が一体形成されており、この連結杆３１の下端を揺動側板２２、２２に穿設した長溝３２に連結棒３３を介して摺動自在とし、かつ当該連結棒３３の両端部に基端側を枢結したリンクアーム３４、３４の先端に、最後端に位置するフィン６´の下ピン２６、２６をそれぞれ枢支すると共に、上記連結棒３３の両端部に先端を枢結した支持杆３５、３５の基端を、揺動側板２２、２２間を貫通する支軸３６に枢支して、前記一方の揺動側板２２の内側面で無孔移送板５の下方に設けたギヤモータ３７のピニオンギヤ３８を、揺動カムプレート３０のラックギヤ３０ａに噛合させることにより、揺動選別体８上の籾層厚を検知する図示しない層厚センサからの検出信号の変化で、上記ギヤモータ３７を駆動して揺動カムプレート３０の進退移動を制御し、フィン６、６…間の間隔を調整することにより揺動選別域２９を最大揺動面積２９ａ（図２）と最小揺動面積２９ｂ（図５）の範囲で変更するように構成されている。
【００１４】
一方前記グレンシーブ９は、搖動選別体８のチャフシーブ７との関係において、当該チャフシーブ７の揺動面積を最小揺動面積２９ｂとした際には、チャフシーブ７の後端縁７ａがその下方に設けたグレンシーブ９の後端縁９ａより前方に位置し、かつ同揺動面積を最大揺動面積２９ａとした際は、チャフシーブ７の後端縁７ａがグレンシーブ９の後端縁９ａより後方に位置するように構成されている。
【００１５】
本発明は叙上の如く構成されているから、図示しない機体走行により刈取作業を行ないながら脱穀作業を開始すると、予め初期設定された所定の基準層厚に達するまでは、層厚センサの検知により揺動選別体８の揺動選別域は、図５に示す最小揺動面積２９ｂに保持されている。
【００１６】
その後に、脱穀作業の進行で徐々に揺動選別体８上の処理物の層厚が所定の基準層厚の上限範囲を越える層厚となった時点で、層厚センサでの検出信号の変化によりギヤモータ３７が駆動され、揺動カムプレート３０が揺動選別体８の後方側に移動し、これに伴ってチャフシーブ７のフィン６、６…の間隔が、傾斜角度を略一定に保持したまま均等に拡大されると共に、上記ギヤモータ３７の駆動停止に伴うパンタグラフ機構２８の拡縮動作停止で、チャフシーブ７のフィン６、６…はその位置に強制的に固定され、揺動選別域の揺動面積が最小揺動面積２９ｂから最大揺動面積２９ａに至る面積範囲内で適宜に調整されることになる。したがって、揺動選別体８の揺動作動中に処理物の漏下量が増大し、結果として脱穀された処理物の実層厚が、下層に穀粒、上層に籾屑等の夾雑物が位置する所定の基準層厚に近づき、処理物の増減に応じて適宜にフィン間の間隔を均等に拡縮調整することにより、揺動選別体８全体としての揺動選別域が拡大、縮小されて、夾雑物の混入を可及的に低減しつつ、移送選別作用から風選作用に至る処理物の流れを常にスムーズに維持でき、効率よく揺動選別を行うことができる。
【００１７】
また、上述のようにフィン６、６…の間隔は傾斜角度を略一定に保持して拡縮されるので、従来のようにフィン開度を変更する構成に比して、開度の変更に伴って変化する選別風の風向も一定に保持することができ、安定した選別性能の維持が可能となる。
【００１８】
【発明の効果】
これを要するに本発明は、離間対向する揺動側板間に、複数のフィンを離間並列状に配設してチャフシーブを形成した脱穀機における揺動選別装置において、上記チャフシーブの揺動選別域を、揺動前後方向に拡縮可能に構成し、また上記揺動選別域は、チャフシーブの揺動方向前端縁を基点として後方に拡縮可能に構成され、当該揺動選別域を縮小した際には、チャフシーブ後端縁がその下方に設けたグレンシーブの後端縁より前方に位置し、かつ揺動選別域を拡大した際は、チャフシーブ後端縁がグレンシーブの後端縁より後方に位置するように構成されているから、搖動選別体上の処理物量や刈り取った長稈作物の種類に応じて揺動選別の範囲を容易に変更することができ、従来は揺動選別動作において、選別物が多量にあると選別し切れない籾が一番樋に回収されていたが、揺動選別域を拡大することにより、グレンシーブの後端縁より後方までシーブが存在し、二番樋での籾の回収が可能となると共に、逆に選別物が少量である場合は、揺動選別域を縮小しても、搖動選別体の前半部で充分に選別が行えて一番樋でほぼ籾の回収を終えることができ、選別物の多少に応じて最適かつ安定した選別性能を維持することができる、という極めて有用な新規的効果を奏するものである。
【図面の簡単な説明】
【図１】脱穀機の全体側面図
【図２】最大揺動面積状態に保持された揺動選別装置の要部側面図
【図３】揺動選別装置の要部平面図
【図４】揺動カムプレート、リンクアームおよび支持杆の連結構成を示す要部側面図
【図５】最小揺動面積状態に保持された揺動選別装置の要部側面図
【符号の説明】
１　　　脱穀機
６　　　フィン
７　　　チャフシーブ
７ａ　　チャフシーブの後端縁
９　　　グレンシーブ
９ａ　　グレンシーブの後端縁
１０　　揺動選別装置
２２　　揺動側板
２４　　長溝
２５　　上ピン
２６　　下ピン
２７　　融通機構
２８ａ　リンク
２８　　パンタグラフ機構
２９　　揺動選別域
２９ａ　最大揺動面積
２９ｂ　最小揺動面積
【図１】
2004081025.tif 000003
【図２】
2004081025.tif 000004
【図３】
2004081025.tif 000005
【図４】
2004081025.tif 000006
【図５】
2004081025.tif 000007